(57)【特許請求の範囲】
【請求項１】
担体を収容しつつ被処理水の生物処理を行う担体処理槽の内壁に、被処理水を収容可能な容器を密着して固定してある浄化槽であって、
前記容器の少なくとも下側壁に、前記容器と前記内壁との当接面の下方を覆うように、前記当接面から立ち上がる方向における前記内壁から離れた位置から前記内壁の側に向かって延出する延出部を設けてあり、該延出部と前記内壁との間の距離を前記担体の最小外径よりも小さく設定してあり、
前記延出部から前記内壁に亘る角度が鈍角となるように構成され、
前記延出部に当たる水流を、前記容器あるいは前記内壁の方向へと前記延出部から離れていく方向に導くことができる浄化槽。
【請求項２】
前記担体処理槽の内壁が上下方向に分割可能に構成されており、前記延出部の端部が前記上下の内壁のそれぞれの接合面に挟み込まれている請求項１に記載の浄化槽。
【請求項３】
前記容器が互いに接合可能な複数の部材で構成されている請求項１又は２に記載の浄化槽。
【請求項４】
前記容器は、互いに接合可能な、前記内壁の側に配置される第１部材と、前記第１部材に対向する位置に配置される第２部材とを備えて構成され、
前記第１部材の下側壁、右側壁、左側壁に、前記第２部材との接合面をなすフランジ部が形成されており、
前記延出部は、前記フランジ部の周縁から前記第１部材の背面壁の側に折り返されて少しずつ外側に拡がるように延出している請求項３に記載の浄化槽。
【発明の詳細な説明】
【技術分野】
【０００１】
本発明は、担体を収容しつつ被処理水の生物処理を行う担体処理槽の内壁に、被処理水を収容可能な容器を設けてある浄化槽に関する。
【背景技術】
【０００２】
従来の浄化槽としては、例えば、特許文献１に示すものが知られている。この浄化槽は、複数の担体を曝気により被処理水中で流動させつつ微生物による好気的処理を行う担体処理槽と、好気的処理を実施された被処理水を消毒して外部に放流する消毒槽とを備える。消毒槽は、担体処理槽の内壁上部の放流口付近に固定されている。
【先行技術文献】
【特許文献】
【０００３】
【特許文献１】特開２０１０−２０１３７８号公報（図１）
【発明の概要】
【発明が解決しようとする課題】
【０００４】
従来の浄化槽においては、担体処理槽の中に設けられた容器体の消毒槽と担体処理槽の内壁との間の隙間に、担体処理槽内を流動する複数の担体の一部が入り込み楔のように食い込んで外れなくなり、隙間が時間の経過と共に拡大し、容器の固定部位（放流口開口部）にも隙間を生じさせてしまう虞があった。特に上記従来例のように容器を片持ちで固定している場合は、水位の上下動によりモーメントが掛かり易く、隙間がさらに拡大する現象が生じてしまう。また、曝気による空気がこの隙間に入り込むと、消毒槽と担体処理槽の内壁との固定部位の隙間に浸入して発泡させ、その泡が消毒済みの被処理水に混ざり込んで放流口から放流される虞もあった。
本発明の目的は、簡素な構成で、担体処理槽内に設けられる容器を長期的に安定して固定することにある。
【課題を解決するための手段】
【０００５】
本発明の浄化槽に係る第１特徴構成は、担体を収容しつつ被処理水の生物処理を行う担体処理槽の内壁に、被処理水を収容可能な容器を密着して固定してある浄化槽であって、前記容器の少なくとも下側壁に、前記容器と前記内壁との当接面の下方を覆うように、前記当接面から立ち上がる方向における前記内壁から離れた位置から前記内壁の側に向かって延出する延出部を設けてあり、該延出部と前記内壁との間の距離を前記担体の最小外径よりも小さく設定してあり、前記延出部から前記内壁に亘る角度が鈍角となるように構成され、前記延出部に当たる水流を、前記容器あるいは前記内壁の方向へと前記延出部から離れていく方向に導くことができる点にある。
【０００６】
〔作用及び効果〕
本構成のごとく、容器の下面に下方に延出する延出部を設けて、該延出部と前記内壁との間の距離を前記担体の最小外径よりも小さく設定すれば、槽内に曝気装置で担体を流動させて被処理水の好気処理を行う担体流動槽や、担体を滞留させることで被処理水の濾過処理を行ない担体滞留部の下方に設けた逆洗配管からの空気供給により担体を洗浄する担体濾過槽などの担体処理槽において、曝気や逆洗空気による水流によって担体処理槽内の担体が、容器と担体処理槽の内壁の間に生じる隙間に入り込もうとしても、延出部によって妨げられて入り込むことができない。そのため、担体が前記隙間に食い込むこともなく、容器と担体処理槽の内壁との隙間が拡大するのを防止することができる。
【０００７】
また本構成のごとく、延出部から担体処理槽の内壁に亘る角度が鈍角であるようにすれば、延出部に当たる水流を、容器あるいは内壁の方向へと延出部から離れていく方向に導くことができるため、担体が延出部と内壁との隙間に入り込みにくくすることができる。
【０００８】
第２特徴構成は、前記内壁が上下方向に分割可能に構成されており、前記延出部の端部が前記上下の内壁のそれぞれの接合面に挟み込まれている点にある。
【０００９】
〔作用及び効果〕
本構成のごとく、延出部の端部を上下の内壁の接合面に挟み込むようにすれば、延出部と内壁との間に隙間が生じないようにすることができる。そのため、担体処理槽内を流動する担体が、容器と担体処理槽の内壁の間の隙間に入り込むのを確実に防止することができる。
【００１０】
第３特徴構成は、前記容器が互いに接合可能な複数の部材で構成されている点にある。
【００１１】
〔作用及び効果〕
本構成のごとく、容器を互いに接合可能な複数の部材で構成すれば、延出部を備える部材と、延出部を備えていない部材とをそれぞれ別個に成形することができる。これにより、例えば、種々の形状の延出部を有する部材を複数成形しておき、それらの部材の中から使用環境に応じて適切なものを選択し、延出部を備えていない他の部材と組み合わせて使用することができる。その結果、容器の形状のバリエーションが広がり、使用環境に応じて使い易くなる。
【００１２】
第４特徴構成は、前記容器は、互いに接合可能な、前記内壁の側に配置される第１部材と、前記第１部材に対向する位置に配置される第２部材とを備えて構成され、前記第１部材の下側壁、右側壁、左側壁に、前記第２部材との接合面をなすフランジ部が形成されており、前記延出部は、前記フランジ部の周縁から前記第１部材の背面壁の側に折り返されて少しずつ外側に拡がるように延出している点にある。
【図面の簡単な説明】
【００１３】
【図１】実施形態に係る浄化槽を模式的に示した縦断側面図である。
【図２】実施形態における消毒槽の分解斜視図である。
【図３】実施形態における消毒槽の縦断側面図である。
【図４】実施形態における消毒槽の横断平面図である。
【図５】実施形態における消毒槽の変形例の縦断側面図である。
【発明を実施するための形態】
【００１４】
本発明に係る浄化槽の実施の形態について図面に基づいて説明する。
（全体構成）
図１に示すように、浄化槽１は、その外槽本体３０の中に、外槽本体３０の上流側壁３１に設けられた原水の流入口２から、外槽本体３０の下流側壁３２に設けられた放流口３にかけて、嫌気性微生物による嫌気的処理を行う第１嫌気濾床槽４及び第２嫌気濾床槽５と、複数の担体１３を曝気により被処理水中で流動させつつ好気性微生物による好気的処理を行う担体処理槽６と、好気的処理を実施された被処理水を消毒して放流口３から外部に放流する消毒槽４０とを備える。
【００１５】
外槽本体３０は、半割り箱体形状の上側部分３０Ａと下側部分３０Ｂとを備えて構成される。上側部分３０Ａは開口部を有しており、その開口部の全周縁にフランジ部３０ａが形成されている。また下側部分３０Ｂも開口部を有しており、その開口部の全周縁にフランジ部３０ｂが形成されている。上側部分３０Ａのフランジ部３０ａと、下側部分３０Ｂのフランジ部３０ｂとを突き合わせてシール材を介して接着することによって、上記第１嫌気濾床槽４、第２嫌気濾床槽５、担体処理槽６、消毒槽４０等を設置可能な水処理空間が形成される。
【００１６】
第１嫌気濾床槽４には、第１接触濾材９が設けられており、第２嫌気濾床槽５にも第２接触濾材１０が設けられている。
【００１７】
担体処理槽６には、水よりもやや比重の小さい浮上性の担体１３を投入してあり、上部に仕切壁１４を設け、下部に担体１３が流動して移動可能な連通部１５を設け、底部に曝気用の散気管１６と逆洗用の逆洗管１７を設けてある。また、担体処理槽６の下方の被処理水を第１嫌気濾床槽４に返送するエアーリフト式の返送管１９を設けており、担体処理槽６内の汚泥が極力少なくなるように構成されている。
【００１８】
担体処理槽６の散気管１６は、仕切壁１４に対向する壁面に沿うように設けられている。このようにすると、被処理水の散気による上昇流は、水面近くで水平方向の流れとなるが、仕切壁１４に遮られ、仕切壁１４の下方を底部に向かって流れていく循環流となり、複数の担体１３が流動する担体流動部が形成される。また、担体処理槽６における仕切壁１４よりも下流側では、逆洗管１７による逆洗時以外には循環流が生じないため、消毒槽４０の周りに担体１３が滞留し易く、これにより濾過部７が形成される。
【００１９】
流入口２から流入した原水は、第１嫌気濾床槽４で有機物の一部が嫌気性微生物により分解され、次いでオーバーフローにより第１移流口１１から第２嫌気濾床槽５に移流し、ここで再び有機物の一部が嫌気性微生物により分解される。
【００２０】
次いで、被処理水は、オーバーフローにより第２移流口１２を介して担体処理槽６に流入する。担体処理槽６では、散気管１６からの曝気により担体１３が流動しており、担体１３に担持した好気性微生物が曝気されたエアーからの酸素を利用することによって、被処理水中の有機物が分解される。
【００２１】
次いで、好気的処理された被処理水が、連通部１５を通って濾過部７に移流し、ＳＳ（浮遊懸濁物質）の除去をされながら濾過されて、図示しない排水部を介して消毒槽４０に流入する。
【００２２】
消毒槽４０に流入した処理水には、図示しない消毒筒から消毒剤が供給されて消毒されながら放流口３より外部に放流される。
【００２３】
濾過部７において、担体滞留部２０にＳＳ分が多く付着してろ過効率が低下したころに、逆洗管１７による散気により逆洗処理が行われる。この時、担体１３は、濾過部７のみならず担体処理槽６をも相互に流動攪拌され、ＳＳ分が担体１３から分離される。
【００２４】
また、逆洗処理により担体処理槽６と濾過部７との担体１３が相互に交換され、濾過部７で付着した汚泥は担体処理槽６の対流によって剥離され、好気的処理がなされる。よって好気性微生物による好気的処理の効率を向上させることができるとともに、濾過部７には汚泥が付着したままの担体１３が残ることがなく、濾過機能を適切に維持することができる。
【００２５】
その後、担体処理槽６の下部に沈殿分離したＳＳ分は、返送管１９により第１嫌気濾床槽４に返送される。
【００２６】
逆洗処理後は、濾過部７に担体１３が溜まりだすが、担体流動部の循環流は仕切壁１４の下方を循環するので循環流に濾過部７の乱れを引き起こす虞が少なく、逆洗終了後直ぐに濾過部７が形成され、濾過機能を瞬時に復帰させることができる。
【００２７】
（消毒槽）
図１に示すように、消毒槽４０（容器の一例）は、外槽本体３０の下流側壁３２の上部に設けてある貫通孔３３に対して、ソケット５０を介して固定されている。
【００２８】
即ち、消毒槽４０は、担体処理槽６内の上部であって且つ仕切壁１４よりも下流側に配置されており、その周りに担体１３が溜まって濾過部７が形成されるとともに、その下方側においては、特に逆洗時に担体１３が流動する。
【００２９】
図２に示すように、消毒槽４０は、互いに接合可能な、下流側壁３２側に配置される第１部材４１と、仕切壁１４側に配置される第２部材４２とを備えて構成される。
【００３０】
第１部材４１は、略長方形状の背面壁４１ａ、該背面壁４１ａの下端から立設する下側壁４１ｂ、該背面壁４１ａの右端及び左端のそれぞれからに立設する右側壁４１ｃ及び左側壁４１ｄを備える。そして、下側壁４１ｂ、右側壁４１ｃ、及び左側壁４１ｄから構成される開口の全周縁にフランジ部４１ｅが形成されており、当該フランジ部４１ｅの全周縁には、背面壁４１ａ側に折り返されて少しずつ外側に拡がるように延出する延出部Ｅが設けられている。また第１部材４１の背面壁４１ａには、固定用のソケット５０を挿通させるための貫通孔４１ｆが形成されている。
【００３１】
第２部材４２は、略長方形状の背面壁４２ａと、該背面壁４２ａの下端から立設する下側壁４２ｂ、該背面壁４２ａの右端及び左端のそれぞれからに立設する右側壁４２ｃ及び左側壁４２ｄとを備え、これらの下側壁４２ｂ、右側壁４２ｃ、及び左側壁４２ｄから構成される開口の全周縁にフランジ部４２ｅが形成されている。
【００３２】
第１部材４１のフランジ部４１ｅと第２部材４２のフランジ部４２ｅとを突き合わせてシール材を介して接着することによって、上部が開口する消毒槽４０が形成される。
【００３３】
図３及び図４に示すように、消毒槽４０を外槽本体３０の下流側壁３２に固定する際は、消毒槽４０の第１部材４１を下流側壁３２に配置して、第１部材４１の貫通孔４１ｆと、下流側壁３２の貫通孔３３との位置を合わせ、ソケット５０を、消毒槽４０の内側から第１部材４１の貫通孔４１ｆと下流側壁３２の貫通孔３３とに亘るように挿入して外槽本体３０の外側に配置した雌ネジ部材５１に螺入して締結する。これにより、消毒槽４０の第１部材４１の貫通孔４１ｆの周縁部が、ソケット５０のフランジ部及び下流側壁３２の貫通孔３３の周縁部により挟持されて、第１部材４１が外槽本体３０の下流側壁３２に固定される。尚、放流口３は、ソケット５０の内側に形成されている貫通孔によって構成される。
【００３４】
本実施形態では、延出部Ｅの先端が、外槽本体３０の下流側壁３２を少し押圧するような状態で当接しつつ、延出部Ｅから下流側壁３２に亘る角度αが鈍角となるように構成されている。しかし、この構成に限定されるものではなく、消毒槽４０を外槽本体３０の下流側壁３２に固定したときに、消毒槽４０の延出部Ｅと下流側壁３２との間の距離が少なくとも担体１３の最小外径よりも小さくなるように設定されていれば良い。
【００３５】
図５に本実施形態の変形例を示す。この実施形態では、第１部材４１の下側壁４１ｂの延出部Ｅの先端に係止部Ｅ１を設けると共に、上側部分３０Ａのフランジ部３０ａと下側部分３０Ｂのフランジ部３０ｂとを突き合わせたときの下流側壁３２の接合面に、窪み３４が形成されるように構成してある。この構成によれば、第１部材４１を下流側壁３２に固定する際、下流側壁３２の窪み３４に対して、第１部材４１の延出部Ｅの係止部Ｅ１を入り込ませたときに、第１部材４１の延出部Ｅが、上側部分３０Ａのフランジ部３０ａと下側部分３０Ｂのフランジ部３０ｂとの間に挟み込まれるようして固定される。
【００３６】
〔その他の実施形態〕
１．上述の実施形態では、消毒槽４０が互いに接合可能な２つの部材で構成されているが、この構成に限定されるものではなく、互いに接合可能であれば、さらにより多くの部材で構成しても良く、また分割されるものではなく単一の部材で構成されるものとしても良い。
２．上述の実施形態では、延出部Ｅを、第１部材４１の下側壁４１ｂ、右側壁４１ｃ及び左側壁４１ｄの全周に亘るように設けているが、この構成に限定されるものではなく、少なくとも下側壁４１ｂに設けてあれば良く、また、延出部Ｅを消毒槽４０の水没領域にのみ設けるようにしても良い。
３．上述の実施形態では、担体処理槽内に設けられ、被処理水を収容可能な容器が消毒槽である構成を示したが、担体処理槽内に設けられる容器体であればこの構成に限定されるものではなく、担体処理槽としての担体流動槽内に設けられる濾過槽や、担体処理槽内に設けられるエアリフトポンプを備える流量調整槽や、担体処理槽内に設けられる汚泥貯留槽などであっても良い。
【産業上の利用可能性】
【００３７】
本発明に係る浄化槽は、小型の浄化槽だけでなく、中型及び大型の浄化槽に用いることができる。
【符号の説明】
【００３８】
１  浄化槽
２  流入口
３  放流口
４  第１嫌気濾床槽
５  第２嫌気濾床槽
６  担体処理槽
７  濾過部
９  第１接触濾材
１０  第２接触濾材
１１  第１移流口
１３  担体
１４  仕切壁
１５  連通部
１６  散気管
１７  逆洗管
１９  返送管
２０  担体滞留部
３０  外槽本体
３０Ａ  上側部分
３０ａ  フランジ部
３０Ｂ  下側部分
３０ｂ  フランジ部
３１  上流側壁
３２  下流側壁
３３  貫通孔
３４  窪み
４０  消毒槽（容器）
４１  第１部材
４１ａ  背面壁
４１ｂ  下側壁
４１ｃ  右側壁
４１ｄ  左側壁
４１ｅ  フランジ部
４１ｆ  貫通孔
４２  第２部材
４２ａ  背面壁
４２ｂ  下側壁
４２ｃ  右側壁
４２ｄ  左側壁
４２ｅ  フランジ部
５０  ソケット
５１  雌ネジ部材
Ｃ  コルゲート部
Ｅ  延出部
Ｅ１  係止部
【図１】
0005872344.tif 000002
【図２】
0005872344.tif 000003
【図３】
0005872344.tif 000004
【図４】
0005872344.tif 000005
【図５】
0005872344.tif 000006